(57)【要約】【課題】  市場接点の少ないアート作品と企業の広告宣伝の“たくさんの人に見てもらう”という共通の目的に関したアート広告の提供方法に関する。【解決手段】  ひとつの広告媒体が広告とコンテンツとに分かれ、各々独立の使用が可能で、コンテンツは画家やグラフィック・アーティストといった美術・芸術分野の個人作品を用い、それぞれは折りたたむ等を含め葉書や名刺などのカードサイズで透明袋に収納した２ｉｎ１で提供され、手軽に収納でき、持ち運べることを特徴とする。【選択図】図２
2009237517.tif 000002
【特許請求の範囲】
【請求項１】
ひとつの広告媒体が広告とコンテンツとに分かれており、各々独立の使用が可能な広告媒体。
【請求項２】
上記広告媒体は折りたたむ等を含め葉書や名刺などのカードサイズで提供され、手軽に収納でき、持ち運べることを特徴とする広告媒体。
【請求項３】
上記広告媒体は透明袋に収納し、広告媒体とコンテンツ媒体がどちらも表面上から確認できることが特徴とする広告媒体。
【請求項４】
上記広告媒体のコンテンツは画家やグラフィック・アーティストといった美術・芸術分野の個人作品を用いることを特徴とした広告媒体。
【発明の詳細な説明】
【発明の詳細な説明】
【技術分野】
【０００１】  市場接点の少ないアート作品と企業の広告宣伝物の“たくさんの人に見てもらう”という共通の目的に関しての提供方法に関する。
【背景技術】
【０００２】  従来より広告宣伝媒体としては、種々のものが開発され、提案されている。
たとえば、カフェやレストランなどの店舗において、無料のデザインポストカードがラック等に陳列されていることがある。【０００３】  この無料のデザインポストカードは、陳列状態の表面には企業ブランドのイメージ写真、商品に関するイラスト等の、消費者が手にとり、部屋などに飾りたくなるような魅力的なデザインが印刷されているとともに、裏面にはポストカード用の宛名欄のほかに企業等の各種宣伝広告、例えば会社名や店舗の地図等の案内等が印刷されている。【０００４】  そもそも消費者はコンテンツを得る対価として広告に触れており、多メディアから大量のコンテンツを受け取る環境においては、消費者が自ら手にしたくなる印象的なコンテンツと、優れたコミュティ要素が必要となる。【０００５】  宣伝であることが一目でわかるチラシは、その宣伝内容に関心のある人以外は自ら手にする可能性は低いが、上記店舗を訪れた消費者は、ディスプレイされたアートフルなデザインポストカードの中から自然とその人の趣味・趣向・感性に合う表示内容のポストカードを手にし、そしてこれが無料であると容易に分かれば躊躇なく持ち帰り、これを本来のポストカードとして郵送したり部屋の飾りにしようとする。【０００６】  すなわち、デザインポストカードという広告媒体とすることにより、宣伝広告を多数の人に効率良く配布できる可能性が生じるものである。【０００７】  また、これらのデザインを主に手がけているのは、一般にグラフィック・アーティストやクリイターと称されるデザイナーで、フリーランス（個人事業主）として活躍しながら、作品の創作活動を行っていることが多い。【０００８】  消費者がライフスタイル上で使用する商品は、ある一定の機能や品質条件に満足すると、次は“デザイン”という要素に付加価値を置き、気軽に食するお菓子のパッケージや携帯電話端末、自家用車、また街全体にいたるまで、色、形、感触といった直感的に五感を刺激する要素が購買判断基準の多くを占める。【０００９】  日本のコンピュータ・グラフィックスを用いたコンテンポラリー・アートと称される現代アートは、世界でも高い評価を得ており、国内でも企業のブランドイメージをはじめ、広告宣伝物や商品デザインなどに対する優れたコミュニケーション手段として、若きクリエイターのアートセンスを起用することが積極的に行われている。
【発明が解決しようとする課題】
【００１０】  上述した従来のデザインポストカードにあっては、どこまでアート性を求めても、基本的なデザイン意図が企業のブランドイメージや商品をモチーフとしているため、結局は消費者にとって、それが広告媒体であることには変わりはなく、また作品のテーマや世界観が強いことで広告訴求効果を弱めるといった本末転倒な結果になることもある。
【００１１】  また、コンテンツの占める領域によって、具体的な宣伝広告の表示を行える部分はポストカードの一方の宛名書き面に限られ、なおかつ宛名書きのスペースも必要なことから広告主はわずかなスペースに限られた内容の宣伝広告を表示せざるを得なかった。
【００１２】  さらに、消費者がいざ使用することを考えると、アートフルに仕上げられたデザインでも、企業広告が掲載された葉書を私信として使うことに抵抗を感じ、結果として中途半端な媒体となりうることもある。
【００１３】  一方で市場や商業分野に高い評価をされている現代アートは、日本画や洋画など、画壇の確立した分野とは違い、美術・芸術作品としての認識が低く、クリエイターが自己の作品を公に発表する機会や場所は限定的で、貸し画廊で発表し、自分のつてで売ったり、上述の商業デザイナーとして生計を立てている。
【００１４】  また、たとえひとつの商業デザインが話題になっても、それは制作会社や広告主の評価となり、クリエイターは制作側のひとりに過ぎず、音楽アーティストのように、相互的な恩恵を享受しずらい環境でもある。
【課題を解決するための手段】
【００１５】  前述の目的を達成するため、本発明のアート広告は、消費者の注目を引くコンテンツ部と企業の宣伝したい広告部を各々独立媒体とさせ、コンテンツ媒体は実用的に使用が可能な葉書や名刺などのカードサイズとし、広告媒体は同様のカードサイズにするか若しくは折りたたむなどしてカードサイズの形態にする。
【００１６】  それら両方を透明袋に収め、デザインが表面上で見えるよう２ｉｎ１スタイルで提供することを特徴とする。
【００１７】  広告表示のないコンテンツ媒体は、クリエイターの純粋なアートテーマや世界観を楽しめるほか、消費者は市販品と変わらないクオリティのメッセージカードとして利用できるため、媒体そのものが注目され、話題性を得られ、捌け率の高い広告媒体となる。
【００１８】  広告宣伝媒体は、クーポン券などにすることで、記載事項は商品やサービスの内容に特化でき、形状的にそのまま財布などに収納し携帯できることから、消費者は利用機会を逃さず、また広告主は回収管理によって費用対効果が明確な媒体となる。
【００１９】  また、コンテンツと広告媒体の組合せは自由で、アート作品の魅力によって媒体を手に取り、結果的に企業の宣伝広告が消費者に届けばいいので、ひとつの広告媒体で複数のアート作品と組み合わせれば、広く消費者の嗜好にアプローチが可能となるばかりでなく、よりたくさんの作品発表、クリエイター紹介が可能となる。
【発明を実施するための最良の形態】
【００２０】  以下、本発明の実施の形態について説明する。本発明に係る広告媒体のコンテンツとは絵画や写真、イラストなどの創作物が印刷され、また、広告宣伝とは企業が発信するサービス情報や販売促進情報をいうものとする。【００２１】  次にコンテンツの応募方法について説明する。如何なる方法、順序でコンテンツを募集してもよい。好ましい方法として、ウェブサイトを通してクリエイターに呼びかけ、作品募集に伴い発生する著作権管理やロイヤリティに関する事などを明示し、作品データを入稿できる環境を用意する。【００２２】  さらに、コンテンツ媒体の裏面となるメッセージを書き添える部分もクリエイターによってデザインされることで、利用者にとってさらに付加価値がつくため、その旨の依頼も告知することが好ましい。【００２３】  広告料金はいかなる方法で設定してもよい。たとえば印刷部数や使用するコンテンツの種類をもとに一定の広告料を契約で設定する方法が好ましく、広告媒体は広告主から支給という形でも可能である。【００２４】  このような価格設定により資本力のある大企業から、地域の零細企業または、小売店までもが、予算に応じた規模で広告活動が行える優れた広告媒体になりうる。この点はマス媒体ではなし得ない本発明に係る広告媒体の利点のひとつである。【００２５】  広告依頼はいかなる方法を利用してもよい。たとえば広告依頼者から直接受注してもよいし広告代理店を通して広告依頼を受け付けてもよい。広告の制作は如何なる者が如何なる方法で行ってもよい。好ましくは広告依頼者、広告代理店、広告制作企業である。【００２６】  本発明に係るサービスの提供方法の取り扱うことのできる広告依頼者の種類は、いかなる業種の法人、いかなる団体、又はいかなる個人でも良く、その対象も製造業の製品、サービス業のサービス、又は求人広告等いかなる種類の広告でもよい。【００２７】  また、特定の広告若しくは特定の広告依頼者の広告に対しては、配布場所を限定するのも更に効果的であり、たとえば、特定の年齢層が集中する大学や専門学校に配布箇所を設置することで、広告主にターゲティングに優れた広告宣伝活動を提案できる。
【実施例】
【００２８】  次に、本発明に係る広告媒体の制作方法及び消費者と広告依頼者双方に対するサービスの提供方法（以上をまとめて、以下アート広告と呼ぶ）について実施例によって更に詳しく説明する。しかし、本発明はこれらに限定されるものではない。【００２９】  本発明によるアート広告の一つの実施形態を、図１のブロック図を使って説明する。【００３０】  広告依頼者１から入稿された広告データ６はアート広告事業者４の有するホストコンピュータ５の広告入稿ＤＢ８内に入稿され、契約に沿った形で広告印刷データ１０にて印刷され、広告媒体１２となる。【００３１】  クリエイター３はアート広告事業者４との間の契約に沿った形でコンテンツＤＢ７に自己のコンテンツデータ９を登録し、コンテンツ印刷データ１１にて印刷されアート媒体１３となる。広告媒体１２及びアート媒体１３は、アート広告事業者４によって透明袋１６に広告媒体封入工程１４及び、アート媒体封入工程１５を経てアート広告１７となり、出荷工程１８を経て各配布ラック１９に設置・配信される。【００３２】  一方、消費者２はアート広告事業者４の提供する配布ラック１９から、趣味や好みによって自由に作品を選択して広告媒体を持ち帰る。コンテンツは鑑賞またはコレクションとして楽しむ他、親しい友人に向けてメッセージを伝えるなどして利用することでクリエイターを認知２２する。また同梱されている広告媒体を認知２１し、その訴求や魅力に応じて保管、利用、消費行動を行う。【００３３】  アート広告事業者４に採用されたコンテンツはアート広告事業者４との間の契約に沿った形でクリエイター３に所定のロイヤリティ２２が支払われる。【００３４】  広告データ６およびコンテンツデータ９はコンピュータネットワークを通じて、それぞれ広告入稿ＤＢ８、コンテンツＤＢ７に提供されることが好ましい。前記したコンピュータネットワークは、電話回線、光通信回線などの通信網を利用したインターネットやＬＡＮなど、双方で情報がやり取りできるものであって、既存のものを利用したり、新たに構築したりしてもよい。【００３５】  図２はアート媒体と広告媒体を透明袋で提供するにあたり、それぞれの媒体表面が透明袋の表面上に現れるように裏面が背中合わせで同梱され、消費者は透明袋から取り出さずにコンテンツと広告が確認できる。
【発明の効果】
【００３６】  以上、説明したように本発明のアート広告は広告表示のないコンテンツは、クリエイターの純粋なテーマや世界観を楽しめるほか、消費者は市販品と変わらないクオリティのメッセージカードとして利用でき、広告媒体そのものが注目され、話題性を得られ、捌け率の高い広告媒体となる。
【００３７】  企業の広告媒体は、クーポン券などにすることで、記載事項は商品やサービスの内容に特化でき、そのまま財布などに収納し携帯できることから、消費者は利用機会を逃さず、また広告主は回収管理によって費用対効果が明確な媒体となる。
【００３８】  さらに、コンテンツと広告媒体の組合せは自由で、アート作品の魅力が媒体を手にする動機となり、結果的に企業の宣伝広告が消費者に届けばいいので、ひとつの広告媒体で複数のアート作品と組み合わせれば、消費者の嗜好に広くアプローチすることが可能となるばかりでなく、よりたくさんの作品発表、作者紹介が可能となる。
【００３９】  結果、才能あるクリエイターの発掘機会創出となり、作品がより精力的に創作され、アート市場が活性化し、流通量が増え、相乗的に広告依頼者にとっても属性をしぼった高い広告効果が得られることとなる。
【図面の簡単な説明】
【００４０】
【図１】アート広告の提供方法のブロック図である。
【図２】アート広告の提供方法を例示する説明図である。
【図１】
2009237517.tif 000003
【図２】
2009237517.tif 000004